(57)【要約】【課題】ユーザに提示する番組のバリエーションを増加させる。【解決手段】番組推薦装置１は、ユーザの番組の視聴履歴に基づいて番組を推薦する推薦方式を選択する選択部１４３と、選択された推薦方式に基づいて、番組を推薦する推薦部１４４と、を備える。選択部１４３は、視聴履歴に基づいて、推薦された番組が視聴されていないことを特定すると、当該番組を推薦した推薦方式とは異なる推薦方式を選択する。推薦方式には、番組を提供する側が番組を推薦する第１方式が含まれており、選択部１４３は、視聴履歴の量に基づいて、ユーザが番組推薦装置１の利用を開始して番組を視聴し始めた状況であると特定すると、第１方式を選択する。【選択図】図２
2020061181.tif 000002
【特許請求の範囲】
【請求項１】
ユーザの番組の視聴履歴に基づいて番組を推薦する推薦方式を選択する選択部と、
前記選択部が選択した推薦方式に基づいて、番組を推薦する推薦部と、
を備え、
前記選択部は、前記視聴履歴に基づいて、推薦された番組が視聴されていないことを特定すると、当該番組を推薦した推薦方式とは異なる推薦方式を選択する、
番組推薦装置。
【請求項２】
前記推薦方式には、番組を提供する側が番組を推薦する第１方式が含まれており、
前記選択部は、前記視聴履歴の量に基づいて、前記ユーザが前記番組推薦装置の利用を開始して番組を視聴し始めた状況であると特定すると、前記第１方式を選択する、
請求項１に記載の番組推薦装置。
【請求項３】
前記推薦方式には、ユーザが過去に視聴した番組に類似する番組を推薦する第２方式が含まれており、
前記選択部は、前記視聴履歴の量に基づいて、前記ユーザが前記番組推薦装置の利用を開始して番組を視聴し始めた状況ではないと特定すると、前記視聴履歴の量が所定量以上であることを条件として前記第２方式を選択する、
請求項１又は２に記載の番組推薦装置。
【請求項４】
前記推薦方式には、複数のユーザの類似性に基づいて番組を推薦する第３方式が含まれており、
前記選択部は、前記推薦部が前記第２方式に基づいて番組を推薦している場合において、前記視聴履歴を参照して前記第２方式に基づいて推薦された番組が視聴されていないことを特定すると、前記第３方式を選択する、
請求項３に記載の番組推薦装置。
【請求項５】
前記選択部は、複数の推薦方式のそれぞれを選択した後の前記視聴履歴に基づいて、推薦された番組が視聴される可能性が相対的に高い推薦方式を特定し、当該推薦方式を選択する、
請求項１から４のいずれか１項に記載の番組推薦装置。
【請求項６】
前記選択部は、放送される番組の変化に基づいて、推薦方式を選択する、
請求項１から５のいずれか１項に記載の番組推薦装置。
【請求項７】
コンピュータにより実行される、
ユーザの番組の視聴履歴に基づいて番組を推薦する推薦方式を選択するステップと、
選択された推薦方式に基づいて、番組を推薦するステップと、
前記視聴履歴に基づいて、推薦された番組が視聴されていないことを特定すると、当該番組を推薦した推薦方式とは異なる推薦方式を選択するステップと、
を備える番組推薦方法。
【請求項８】
コンピュータを、
ユーザの番組の視聴履歴に基づいて番組を推薦する複数の推薦方式のいずれかを選択する選択部、及び、
前記選択部が選択した推薦方式に基づいて、番組を推薦する推薦部、
として機能させ、
前記選択部は、前記視聴履歴に基づいて、推薦された番組が視聴されていないことを特定すると、当該番組を推薦した推薦方式とは異なる推薦方式を選択する、
番組推薦プログラム。
【発明の詳細な説明】
【技術分野】
【０００１】
本発明は、番組推薦装置、番組推薦方法及び番組推薦プログラムに関する。
【背景技術】
【０００２】
従来、テレビ番組等の各種コンテンツのうち、ユーザが視聴する可能性が高いコンテンツをユーザに提示することが行われている。例えば、特許文献１には、ユーザが視聴する番組の視聴頻度を、当該番組に対応するキーワードごとに蓄積し、キーワードごとの視聴頻度に基づいて、番組ごとのユーザの嗜好度を算出し、当該嗜好度に基づいて番組を提示する方法が開示されている。
【先行技術文献】
【特許文献】
【０００３】
【特許文献１】特開２００７−３１８３６４号公報
【発明の概要】
【発明が解決しようとする課題】
【０００４】
ところで、特許文献１に示す方法のように、ユーザの嗜好度に基づいて番組を提示することを継続し続けると、ほとんど同じような番組が提示する番組として選択されてしまう。そして、番組の提示機能をユーザが利用し続けると、ユーザは、ほとんど同じような番組しか視聴しなくなり、ユーザが視聴したことがないものの、興味を示す可能性が高い番組や、番組を提供する側がユーザに視聴してほしい番組が視聴されなくなってしまうという問題が生じてしまう。
【０００５】
そこで、本発明はこれらの点に鑑みてなされたものであり、ユーザに提示する番組のバリエーションを増加させることができる番組推薦装置、番組推薦方法及び番組推薦プログラムを提供することを目的とする。
【課題を解決するための手段】
【０００６】
本発明の第１の態様に係る番組推薦装置は、ユーザの番組の視聴履歴に基づいて番組を推薦する推薦方式を選択する選択部と、前記選択部が選択した推薦方式に基づいて、番組を推薦する推薦部と、を備え、前記選択部は、前記視聴履歴に基づいて、推薦された番組が視聴されていないことを特定すると、当該番組を推薦した推薦方式とは異なる推薦方式を選択する。
【０００７】
前記推薦方式には、番組を提供する側が番組を推薦する第１方式が含まれており、前記選択部は、前記視聴履歴の量に基づいて、前記ユーザが前記番組推薦装置の利用を開始して番組を視聴し始めた状況であると特定すると、前記第１方式を選択してもよい。
【０００８】
前記推薦方式には、ユーザが過去に視聴した番組に類似する番組を推薦する第２方式が含まれており、前記選択部は、前記視聴履歴の量に基づいて、前記ユーザが前記番組推薦装置の利用を開始して番組を視聴し始めた状況ではないと特定すると、前記視聴履歴の量が所定量以上であることを条件として前記第２方式を選択してもよい。
【０００９】
前記推薦方式には、複数のユーザの類似性に基づいて番組を推薦する第３方式が含まれており、前記選択部は、前記推薦部が前記第２方式に基づいて番組を推薦している場合において、前記視聴履歴を参照して前記第２方式に基づいて推薦された番組が視聴されていないことを特定すると、前記第３方式を選択してもよい。
【００１０】
前記選択部は、複数の推薦方式のそれぞれを選択した後の前記視聴履歴に基づいて、推薦された番組が視聴される可能性が相対的に高い推薦方式を特定し、当該推薦方式を選択してもよい。
前記選択部は、放送される番組の変化に基づいて、推薦方式を選択してもよい。
【００１１】
本発明の第２の態様に係る番組推薦方法は、コンピュータにより実行される、ユーザの番組の視聴履歴に基づいて番組を推薦する推薦方式を選択するステップと、選択された推薦方式に基づいて、番組を推薦するステップと、前記視聴履歴に基づいて、推薦された番組が視聴されていないことを特定すると、当該番組を推薦した推薦方式とは異なる推薦方式を選択するステップと、を備える。
【００１２】
本発明の第３の態様に係る番組推薦プログラムは、コンピュータを、ユーザの番組の視聴履歴に基づいて番組を推薦する複数の推薦方式のいずれかを選択する選択部、及び、前記選択部が選択した推薦方式に基づいて、番組を推薦する推薦部、として機能させ、前記選択部は、前記視聴履歴に基づいて、推薦された番組が視聴されていないことを特定すると、当該番組を推薦した推薦方式とは異なる推薦方式を選択する。
【発明の効果】
【００１３】
本発明によれば、ユーザに対して提示する番組のバリエーションを増加させることができるという効果を奏する。
【図面の簡単な説明】
【００１４】
【図１】本実施形態に係る番組推薦装置の概要を示す図である。
【図２】本実施形態に係る番組推薦装置の構成を示す図である。
【図３】視聴履歴情報の一例を示す図である。
【図４】ディスプレイに表示されるメニュー画面の例を示す図である。
【図５】番組推薦装置において、推薦方式を選択する処理の流れを示すフローチャートである。
【発明を実施するための形態】
【００１５】
［番組推薦装置１の概要］
図１は、本実施形態に係る番組推薦装置１の概要を示す図である。番組推薦装置１は、例えば、ケーブルテレビを利用するユーザの自宅に設けられており、ケーブルテレビ放送や地上デジタルテレビ放送等の放送信号を受信するセットトップボックスである。
【００１６】
番組推薦装置１は、各種の放送信号を受信することにより、放送局やケーブルテレビ事業者が放送する番組コンテンツ（以下、単に「番組」という。）を取得し、自身に接続されているテレビ受信機等のディスプレイ２に表示させる。番組推薦装置１を利用するユーザには、番組推薦装置１が設置されている場所に同居する家族等が含まれるものとする。例えば、４人家族の住宅に番組推薦装置１が設置されている場合、ユーザは家族４人である。
【００１７】
本実施形態において、番組推薦装置１は、ユーザの番組の視聴履歴に基づいて、ユーザの番組の視聴状況を特定する（図１の（１））。ここで、視聴状況には、ユーザが、番組推薦装置１の使用状況や、ユーザが番組を視聴したか否かを示す状況が含まれるものとする。番組推薦装置１は、特定した視聴状況に基づいて、番組を推薦する複数の推薦方式のいずれかを選択する（図１の（２））。番組推薦装置１は、選択された推薦方式に基づいて、ユーザに推薦する推薦番組を特定し、メニュー画面をディスプレイ２に表示させる際に、当該推薦番組を表示させる（図１の（３））。
このようにすることで、番組推薦装置１は、ユーザに対して提示する推薦番組のバリエーションを増加させることができる。
以下、番組推薦装置１の構成について説明する。
【００１８】
［番組推薦装置１の構成例］
図２は、本実施形態に係る番組推薦装置１の構成を示す図である。
番組推薦装置１は、入力部１１と、通信部１２と、記憶部１３と、制御部１４とを備える。
【００１９】
入力部１１は、例えば、番組推薦装置１に設けられたボタンやリモコンであり、番組推薦装置１のユーザから操作入力を受け付ける。
通信部１２は、例えば、チューナーであり、各種の放送信号を受信することにより、当該放送信号に対応する番組を取得する。また、通信部１２は、インターネット等の通信ネットワークを介して、各種サーバと通信を行う。
【００２０】
例えば、通信部１２は、通信ネットワークを介して、電子番組表（EPG：Electronic Program Guide）を配信する配信サーバから電子番組表を受信する。電子番組表には、各チャンネルにおける番組のスケジュールと、番組のジャンルと、番組の内容を説明する説明情報とが含まれている。また、通信部１２は、ディスプレイ２と通信を行うとともに、番組の録画を行う録画機器（不図示）と通信を行う。録画機器は、番組推薦装置１のユーザから番組の録画予約を受け付け、当該予約に応じて番組を予約するものとする。
【００２１】
記憶部１３は、例えば、ＲＯＭ及びＲＡＭ等である。記憶部１３は、番組推薦装置１を機能させるための各種プログラムを記憶する。例えば、記憶部１３は、番組推薦装置１の制御部１４を、後述する記憶制御部１４１、特定部１４２、選択部１４３、推薦部１４４及び消去部１４５として機能させる番組推薦プログラムを記憶する。
【００２２】
ここで、番組推薦プログラムには、番組推薦装置１のユーザに番組を推薦する複数の推薦方式に対応するプログラムが含まれている。ここで、複数の推薦方式には、第１方式と、第２方式と、第３方式とが含まれている。第１方式は、番組を提供する側（例えば、ケーブルテレビの事業者や放送事業者）が、番組を推薦する方式である。第２方式は、視聴履歴情報に基づいてユーザが過去に視聴した番組に類似する番組を推薦する方式である。第３方式は、異なる番組推薦装置１を使用する複数のユーザの類似性に基づいて番組を推薦する方式である。これらの方式の詳細については後述する。
【００２３】
また、記憶部１３は、通信部１２が受信した電子番組表と、ユーザが視聴した番組の履歴を示す視聴履歴情報とを記憶する。図３は、視聴履歴情報の一例を示す図である。図３に示すように、視聴履歴情報は、ユーザが番組の視聴を開始した時刻を示す視聴開始時刻と、ユーザが番組の視聴を終了した時刻を示す視聴終了時刻と、ユーザが視聴した番組に対応するチャンネルと、ユーザが視聴した番組を識別する番組ＩＤと、視聴種別とを含んでいる。視聴種別は、番組の視聴が放送中の番組の視聴であるか、録画された番組の視聴であるかを示す情報である。
【００２４】
制御部１４は、例えばＣＰＵである。制御部１４は、記憶部１３に記憶されている各種プログラムを実行することにより、番組推薦装置１に係る機能を制御する。制御部１４は、記憶制御部１４１と、特定部１４２と、選択部１４３と、推薦部１４４と、消去部１４５とを備える。
【００２５】
記憶制御部１４１は、ユーザが視聴した番組に対応する視聴履歴情報を記憶部１３に記憶させる。具体的には、記憶制御部１４１は、選択操作によって番組が選択されると、選択された時刻を視聴開始時刻とするとともに、選択された番組に対応するチャンネルと、選択された番組を識別する番組ＩＤと、視聴種別とを特定する。記憶制御部１４１は、入力部１１が、チャンネルを切り替える操作、又は番組推薦装置１の電源をオフにする操作を受け付けると、これまでにユーザが視聴していた番組の視聴が終了したと判定し、当該操作を受け付けた時刻を当該番組の視聴終了時刻とする。そして、記憶制御部１４１は、視聴開始時刻と、視聴終了時刻と、チャンネルと、番組ＩＤと、視聴種別とを関連付けて視聴履歴情報として記憶部１３に記憶させる。
【００２６】
特定部１４２は、ユーザの視聴履歴に基づいてユーザの番組の視聴状況を特定する。具体的には、特定部１４２は、所定時間おき（例えば、１日おき）に記憶部１３に記憶されている視聴履歴情報の量が所定量未満であるか否かを判定することにより、番組の視聴状況が、ユーザが番組推薦装置１の利用を開始して番組を視聴し始めた状況であるか否かを特定する。特定部１４２は、視聴履歴情報の量が所定量未満である場合に、ユーザが番組推薦装置１の利用を開始して番組を視聴し始めたと特定し、視聴履歴情報の量が所定量以上である場合に、番組の視聴し始めではないと特定する。ここで、所定量は、例えば、１カ月分の視聴履歴の量であるものとするが、ユーザが過去に視聴した番組を適切に分析できる量であれば、これに限らない。
【００２７】
また、特定部１４２は、視聴履歴情報に基づいて、後述の推薦部１４４により推薦された番組の視聴状況を特定する。例えば、記憶部１３には、推薦部１４４により推薦された番組を識別する番組ＩＤが記憶されており、特定部１４２は、当該番組ＩＤが視聴履歴情報に含まれているか否かを判定することにより、推薦部１４４により推薦された番組が視聴されたか否かを特定する。なお、特定部１４２は、推薦された番組の数と、視聴履歴情報に含まれる当該番組の数との割合が所定値未満の場合に、推薦された番組が視聴されていないと判定してもよい。
【００２８】
選択部１４３は、ユーザの番組の視聴状況に基づいて、番組を推薦する複数の推薦方式のいずれかを選択する。
具体的には、選択部１４３は、ユーザの番組の視聴状況が、番組推薦装置１の利用を開始して番組を視聴し始めた状況であると特定部１４２が特定すると、第１方式を選択する。また、選択部１４３は、ユーザによる番組の視聴状況が、番組推薦装置１の利用を開始して番組を視聴し始めた状況ではないと特定部１４２が特定すると、第２方式を選択する。
【００２９】
ユーザの番組の視聴状況が、番組推薦装置１の利用を開始して番組を視聴し始めた状況である場合には、記憶部１３に記憶されている視聴履歴情報の量が少なく、ユーザが過去に視聴した番組に基づく分析を適切に行うことができない。これに対して、番組推薦装置１は、ユーザが番組推薦装置１の利用を開始して番組を視聴し始めた状況である場合に、番組を提供する側が番組を推薦する第１方式を選択するので、視聴履歴情報の量が少ない場合であっても番組を推薦することができる。
【００３０】
選択部１４３は、推薦部１４４によって推薦された番組が視聴されていないことを特定部１４２が特定すると、当該番組を推薦した推薦方式とは異なる推薦方式を選択する。具体的には、選択部１４３は、推薦部１４４が第２方式に基づいて番組を推薦している場合において、視聴履歴情報を参照して、第２方式に基づいて推薦された番組が視聴されていないことを特定部１４２が特定すると、第３方式を選択する。
このようにすることで、番組推薦装置１は、第２方式による番組の推薦の効果が小さい場合に推薦方式を第３方式に切り替えて、番組の推薦の効果の改善を図ることができる。
【００３１】
なお、選択部１４３は、複数の推薦方式のそれぞれを選択した後の視聴履歴に基づいて、推薦された番組が視聴される可能性が相対的に高い推薦方式を特定し、当該推薦方式を選択してもよい。具体的には、選択部１４３は、推薦方式が第２方式から第３方式に切り替わってから所定時間経過した場合、又は、推薦方式が第１方式から第２方式に切り替わってから所定時間経過しても第３方式に切り替わらなかった場合、視聴履歴情報に基づいて、それぞれの推薦方式によって推薦された番組の数に対する、視聴された当該番組の割合を算出する。そして、選択部１４３は、当該割合が最も高い推薦方式を、推薦された番組が視聴される可能性が相対的に高い推薦方式として特定し、当該推薦方式を選択する。
このようにすることで、番組推薦装置１は、複数の推薦方式のうち、最も効果的な推薦方式に基づいて番組を推薦することができる。
【００３２】
また、選択部１４３は、放送される番組の変化に基づいて推薦方式を選択してもよい。例えば、放送される番組は、季節の変わり目や、年の変わり目等の番組の改編期で変化することがある。これに対して、選択部１４３は、記憶部１３に記憶されている電子番組表を参照し、定期的に放送されている番組（例えば、毎週の所定曜日に放送されている番組や、毎週の平日に放送されている番組）のタイトルが他のタイトルに変化したか否かを判定することにより、番組の改編期であるか否かを判定する。そして、選択部１４３は、番組の改編期であると判定した場合に、第２方式を選択し、改編期ではないと判定した場合に、第３方式を選択する。
【００３３】
このようにすることで、番組推薦装置１は、番組改編期において、視聴履歴情報に基づいてユーザが過去に視聴した番組に類似する番組を推薦する第２方式を選択することにより、新たに放送される番組のうち、ユーザが過去に視聴していた番組と類似する番組を推薦番組として提示することができる。
【００３４】
また、番組推薦装置１は、番組改編期ではない時期において、異なる番組推薦装置１を使用する複数のユーザの類似性に基づいて番組を推薦する第３方式を選択することにより、ユーザに対して、当該ユーザと類似する他のユーザが視聴している番組を推薦番組として提示することができる。これにより、定期的に同じ番組が放送されている場合に、ユーザのこれまでの視聴傾向に基づかない新たな番組を当該ユーザに提示することができる。
【００３５】
推薦部１４４は、ユーザが番組推薦装置１の電源をオンにするか、入力部１１によりメニュー画面の表示操作を行ったことに応じて、選択部１４３が選択した推薦方式に基づいて、番組を推薦する。
【００３６】
推薦部１４４は、選択部１４３により第１方式が選択されている場合、入力部１１によりメニュー画面の表示操作が行われたことに応じて、第１方式に対応して推薦番組を示す推薦番組情報を配信する第１配信装置（不図示）に、推薦番組情報の取得要求を送信する。第１配信装置は、番組の提供側によって選択され、番組推薦装置１のユーザに推薦する推薦番組を示す推薦番組情報を記憶している。第１配信装置は、推薦番組情報の取得要求を番組推薦装置１から受信したことに応じて、推薦番組情報を番組推薦装置１に送信する。
【００３７】
番組推薦装置１は、第１配信装置から推薦番組情報を受信すると、当該推薦番組情報に含まれる推薦番組を示す情報（例えば、番組紹介情報）を含むメニュー画面をディスプレイ２に表示させる。図４は、ディスプレイ２に表示されるメニュー画面の例を示す図である。図４に示す例では、推薦番組Ａ、Ｂ、Ｃ及びＤのサムネイル画像が表示されていることが確認できる。
【００３８】
なお、第１配信装置は、番組を提供する側から、ユーザに推薦する推薦番組として、複数のジャンルのそれぞれにおいて視聴率が高い等の人気の高い番組を受け付け、推薦番組と、ジャンルとを関連付けて記憶していてもよい。この場合において、第１配信装置は、番組推薦装置１を介して、ユーザから予めユーザが興味を持っているジャンルを受け付けてもよい。
【００３９】
そして、第１配信装置は、番組推薦装置１から推薦番組情報の取得要求を受け付けたことに応じて、当該番組推薦装置１のユーザから予め受け付けたジャンルに対応する番組を推薦番組として選択し、当該推薦番組を示す推薦番組情報を番組推薦装置１に送信してもよい。また、第１配信装置は、番組を提供する側から推薦番組を受け付けずに、平均視聴率が高い番組や、ＳＮＳ（Social Networking Service）において話題性が高い番組や、キュレーションサービスにおいて提示されている番組を特定し、当該番組を推薦番組として選択してもよい。
【００４０】
推薦部１４４は、選択部１４３により第２方式が選択されている場合、視聴履歴情報に基づいて、ユーザが過去に視聴した番組が属するジャンルを特定する。具体的には、推薦部１４４は、視聴履歴情報に基づいて、ユーザの番組の視聴度合いを、曜日、時間帯、及び番組が属するジャンルごとに特定し、当該視聴度合いに基づいて、曜日及び時間帯ごとの推薦対象のジャンルを特定する。
【００４１】
そして、推薦部１４４は、入力部１１によりメニュー画面の表示操作が行われたことに応じて、記憶部１３に記憶されている電子番組表を参照して、現在時刻が属する曜日及び時間帯に対して特定されたジャンルに対応する番組を推薦番組として特定する。番組推薦装置１は、特定した推薦番組を示す情報を含むメニュー画面をディスプレイ２に表示させる。
【００４２】
なお、推薦部１４４は、第２方式が選択されている場合、電子番組表に基づいて、推薦番組を特定したがこれに限らない。例えば、番組のジャンルや番組の内容等のメタ情報を管理し、ジャンルを受け付けたことに応じて、当該ジャンルに対応する推薦番組を示す推薦番組情報を送信する第２配信装置（不図示）が設けられていてもよい。そして、推薦部１４４は、特定したジャンルを示す情報を第２配信装置に送信し、当該第２配信装置から、特定したジャンルに対応する推薦番組を示す推薦番組情報を受信することにより、当該ジャンルに対応する推薦番組を特定してもよい。
【００４３】
また、推薦部１４４は、第２方式が選択されている場合、電子番組表を参照して、現在時刻が属する曜日及び時間帯に対して特定されたジャンルに対応する番組を推薦番組として特定したが、これに限らない。例えば、推薦部１４４は、第２方式が選択されている場合、視聴履歴情報に基づいてユーザが視聴した番組を特定し、電子番組表に含まれる番組の内容を説明する説明情報から、当該番組に対応するキーワードを抽出してもよい。キーワードは、スポーツチーム、著名人、地名等である。そして、推薦部１４４は、電子番組表において、当該キーワードに対応する番組のうち、ユーザが視聴していない番組を推薦番組に特定してもよい。
【００４４】
推薦部１４４は、選択部１４３により第３方式が選択されている場合、番組推薦装置１のユーザによって予め入力され、記憶部１３に記憶されているユーザのプロフィール情報と、番組推薦装置１を識別する装置ＩＤとを、第３方式に対応して推薦番組を示す推薦番組情報を配信する第３配信装置（不図示）に送信する。ここで、ユーザのプロフィール情報には、例えば、ユーザの年齢、家族構成、及びユーザが興味を示しているジャンル等を示す情報が含まれている。また、推薦部１４４は、第３方式が選択されている場合、記憶部１３に記憶されている視聴履歴情報と、装置ＩＤとを第３配信装置に定期的に送信する。
【００４５】
第３配信装置は、複数の番組推薦装置１のそれぞれから受信した装置ＩＤと、ユーザのプロフィール情報と、視聴履歴情報とを関連付けて記憶している。
推薦部１４４は、第３方式が選択されている場合、入力部１１によりメニュー画面の表示操作が行われたことに応じて、番組推薦装置１を識別する装置ＩＤと、推薦番組情報の取得要求とを第３配信装置に送信する。
【００４６】
第３配信装置は、装置ＩＤと、推薦番組情報の取得要求とを受信すると、当該装置ＩＤに関連付けられているユーザのプロフィール情報を特定し、当該プロフィール情報が示すプロフィールと類似するプロフィールを有する他の複数のユーザを特定する。第３配信装置は、特定された他の複数のユーザの視聴履歴情報に基づいて、当該他の複数のユーザにおいて視聴している割合が相対的に高い番組のうち、推薦番組情報の取得要求を送信した番組推薦装置１のユーザが視聴していない番組を推薦番組として選択する。そして、第３配信装置は、選択した推薦番組を示す推薦番組情報を、推薦番組情報の取得要求を送信した番組推薦装置１に送信する。番組推薦装置１は、第３配信装置から推薦番組情報を受信すると、当該推薦番組情報に含まれる推薦番組を示す情報を含むメニュー画面をディスプレイ２に表示させる。
【００４７】
なお、第３配信装置は、ユーザとプロフィールが類似する他の複数のユーザの視聴履歴情報に基づいて推薦番組を特定したが、これに限らない。例えば、第３配信装置は、ユーザの視聴履歴情報と類似する他のユーザの視聴履歴情報を特定し、特定した視聴履歴情報に含まれる番組のうち、ユーザが視聴していない番組を推薦番組として選択してもよい。この場合において、第３配信装置は、ユーザの視聴履歴情報に基づいて、曜日、時間帯、番組の放送時間の長さごとに、ユーザの視聴傾向を特定し、曜日、時間帯、番組の放送時間の長さごとに、視聴傾向が類似する他のユーザを特定してもよい。そして、第３配信装置は、特定した他のユーザの視聴履歴情報に基づいて、推薦番組を選択してもよい。
【００４８】
消去部１４５は、記憶部１３に記憶されている視聴履歴情報のうち、現在時刻よりも所定時間前（例えば、１カ月）に記憶された視聴履歴情報を記憶部１３から消去する。このようにすることで、番組推薦装置１は、第２方式により番組を推薦する際に、ユーザが最近視聴している番組の視聴履歴に基づいて番組を推薦することができる。
【００４９】
［番組推薦装置１における処理の流れ］
続いて、番組推薦装置１において推薦方式を選択する処理の流れについて説明する。図５は、番組推薦装置１において推薦方式を選択する処理の流れを示すフローチャートである。
【００５０】
まず、特定部１４２は、記憶部１３に記憶されている視聴履歴情報の量が所定量未満であるか否かを判定する（Ｓ１）。特定部１４２は、視聴履歴情報の量が所定量未満であると判定すると、Ｓ２に処理を移し、視聴履歴情報の量が所定量以上であると判定すると、Ｓ３に処理を移す。
【００５１】
Ｓ２において、選択部１４３は、推薦方式として第１方式を選択する。選択部１４３は、第１方式を選択した後、Ｓ１に処理を移す。
Ｓ３において、選択部１４３は、推薦方式として第２方式を選択する。
【００５２】
Ｓ４において、特定部１４２は、視聴履歴情報を参照して、第２方式によって推薦された推薦番組が視聴されているか否かを判定する。特定部１４２は、推薦番組が視聴されていると判定すると、Ｓ４を再実行し、推薦番組が視聴されていないと判定すると、Ｓ５に処理を移す。
【００５３】
Ｓ５において、選択部１４３は、推薦方式として第３方式を選択する。
続いて、選択部１４３は、Ｓ５において第３方式が選択されてから所定時間が経過したことに応じて、複数の推薦方式のそれぞれに対応する視聴割合を算出する（Ｓ６）。
続いて、選択部１４３は、Ｓ６における算出結果に基づいて、視聴割合が最も高い推薦方式を選択する（Ｓ７）。
【００５４】
なお、選択部１４３は、Ｓ７において推薦方式が選択された後、推薦方式の選択を繰り返し行ってもよい。この場合において、特定部１４２は、推薦方式が選択された後、当該推薦方式によって推薦された推薦番組が視聴されているか否かを判定する。そして、選択部１４３は、当該推薦方式によって推薦された推薦番組が視聴されていない判定されたことに応じて、他の推薦方式を選択するようにしてもよい。
【００５５】
［本実施形態における効果］
以上のとおり、本実施形態に係る番組推薦装置１は、ユーザの番組の視聴状況に基づいて、番組を推薦する複数の推薦方式のいずれかを選択し、選択された推薦方式に基づいて、番組を推薦する。
このようにすることで、番組推薦装置１は、ユーザの番組の視聴状況の変化に応じて、異なる推薦方式に基づいて番組を推薦することができるので、複数の推薦方式として、それぞれ異なる番組を推薦可能な方式を採用することにより、ユーザに提示する推薦番組のバリエーションを増加させることができる。
【００５６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、番組推薦装置１は、第２方式において、曜日、時間帯、及びジャンルごとに視聴度合いを特定し、曜日、時間帯ごとに推薦対象のジャンルを特定し、当該ジャンルに属する番組を推薦したが、これに限らない。例えば、番組推薦装置１は、曜日、時間帯、及びチャンネルごとに視聴度合いを特定し、曜日、時間帯ごとに推薦対象のチャンネルを特定し、当該チャンネルで放送されている番組を推薦してもよい。
【００５７】
また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。例えば、上述の実施形態では、推薦番組情報を配信する配信装置は、複数の推薦方式のそれぞれで異なるものとして説明したが、これに限らず、一の配信装置が、複数の推薦方式のそれぞれに対応して推薦番組情報を配信してもよい。
【符号の説明】
【００５８】
１・・・番組推薦装置、１１・・・入力部、１２・・・通信部、１３・・・記憶部、１４・・・制御部、１４１・・・記憶制御部、１４２・・・特定部、１４３・・・選択部、１４４・・・推薦部、１４５・・・消去部、２・・・ディスプレイ
【図１】
2020061181.tif 000003
【図２】
2020061181.tif 000004
【図３】
2020061181.tif 000005
【図４】
2020061181.tif 000006
【図５】
2020061181.tif 000007